(57)【要約】      （修正有）【課題】鍔の頭部への密着性を高め、鍔の形状の安定度を高め、風を受けても変形し難い鍔を提供する。【解決手段】鍔は弾性材を用いて、中央部の幅が広く、両端部の幅が狭くなっている横長の板状の部分１（以下、板部）と、その板部１の両端部３間の長さよりも長い、棒状の部分２（以下、棒部）の、二要素で構成され、板部１と棒部２の両端３が接合され、板部１の垂直方向に向かって棒部２が湾曲する事で立体構造が成され、これを鍔の芯として用いる。【選択図】図１
2011106079.tif 000002
【特許請求の範囲】
【請求項１】
弾性材を用いた、中央部の幅が広く両端部の幅が狭い、横長の板状の部分（１）と、その板状の部分（１）の両端部（３）間の長さよりも長い、弾性材を用いた棒状の部分（２）の、二つの要素で構成され、板状の部分（１）の両端部（３）と棒状の部分（２）の両端部（３）はそれぞれに接合されており、棒状の部分（２）が、板状の部分（１）に対して垂直方向に湾曲するように形成される事で、立体構造が成される事を特徴とした、帽子及びヘルメットカバーの鍔の芯。
【請求項２】
弾性材を用いた板状の部分（１）に開口部（８）を設けた請求項１の、帽子及びヘルメットカバーの鍔の芯。
【発明の詳細な説明】
【発明の詳細な説明】
【産業上の利用分野】
【０００１】  この発明は、帽子及びヘルメットカバーの鍔に内蔵される芯（以下、鍔の芯）に関するものである。
【従来の技術及びその課題】
【０００２】  従来の鍔の芯は、板状の材料から切り出された平面的なものが内蔵されており、その頭部に当たる部分の形状は常に一定であるため、実際に使用される際の頭回りの違いが無視されていた。
【０００３】  また、従来の鍔の芯により形作られた鍔では、この鍔を持つ帽子を被り、走る、自転車に乗る、乗馬をする、という様に、着用時に前方から風を受ける際には、鍔の前方が風によって上または下に倒されたり、風向きの変化により上下運動を繰り返したりと、風の影響を強く受けるため、鍔の形状や状態が安定せず不便であった。
【課題を解決する為の手段】
【０００４】  上記の課題を解決する為の手段として、弾性材を用いて、中央部の幅が広く両端部の幅が狭い、横長の板状の部分（１）（以下、板部）と、その板部（１）の両端部（３）間の長さよりも長い、弾性材を用いた棒状の部分（２）（以下、棒部）の、二つの要素から構成させ、板部（１）の両端（３）と棒部（２）の両端（３）を、棒部（２）が板部（１）に対して巣直方向に湾曲するようにして、それぞれを接合或いは形成させる事で、立体形状を形成させ、これを帽子の芯として用いる。（図１）（図２）（図３）（図４）（図５）
【０００５】  本発明に用いる弾性材には、ポリエチレン、塩化ビニル、ポリプロピレン、各種プラスチック、各種金属等を用いる事が可能で、接合及び形成の方法においては、接着剤による接着、熱溶着、ポリエチレン等は縫製による接合も可能であり、材料によっては一体成型により形成する事も可能である。
【０００６】  本発明に用いる弾性材や接合方法、形成方法が限定されない点については、それぞれが周知の材料や周知の方法を用いる事で、従来には無い技術である本発明を実現可能であると言う事に過ぎず、それは即ち、本発明の産業上の利便性の高さを表すものであり、本発明の主眼とするところでは無い。
【０００７】  つまり、本発明の主眼とするところは、弾性材を用い、板部（１）と棒部（２）の二つの要素から構成され、板部（１）の垂直方向に向かって棒部（２）が湾曲する事により立体を形成するところにあり、それを帽子の鍔、つまり頭部（７）より前方に用いる事で、鍔の形状を安定させるところにある。
【作用】
【０００８】  本発明による鍔の芯を、実際に帽子の鍔に内蔵して用いる（図５）と、板部（１）が頭部（７）の形状による影響によって湾曲して、頭部（７）への密着度が増す。
【０００９】  板部（１）が湾曲して頭部（７）への密着度が増すと、棒部（２）も更に湾曲するため、鍔の先端が、頭回りの違いにより上下する事は無くなる。
【００１０】  また、本発明による鍔の芯を用いた鍔の、中心線（４）による断面を横から見ると（図６）、従来の鍔の芯を用いた鍔と違い三角形に近い形状を成している。
【発明の効果】
【００１１】  以上の様な作用により、本発明による鍔の芯は以下の様な効果をもたらす。
【００１２】  従来の、平面的な鍔の芯を用いた鍔と比べて、本発明による鍔の芯を用いた鍔は、帽子を着用する頭回りの大きさの違いに関わらず、鍔の形状の安定度が増す。
【００１３】  また、本発明による鍔の芯を用いた鍔の断面（図６）は、従来の鍔の芯を用いた鍔と違い三角形に近い形状をしているため、形状や状態の安定性が高く、前方からの風を逃がす効果や、風の影響を受け難いという特徴を持つ。
【００１４】  ポリウレタン含むニット生地等、伸縮性の高い生地によって帽子（５）（６）を作る際に、本発明による鍔の芯を用いる事で、帽子のサイズの許容範囲を広げながら、頭回りが小さい頭部（７）にも、頭回りが大きい頭部（７）にも、鍔の形状や状態を安定させるたまま使用する事が可能となる。
【００１５】  また、伸縮性の高いニット生地等で作られた帽子は、ヘルメットカバーとしての用途も可能であるので、同生地により、使用時にも装着可能なヘルメットカバー（５）（６）を作り、それに本発明による鍔の芯を用いた鍔を付加する事で、鍔の無いヘルメットに、容易に鍔を付加させる事が可能となる。
【００１６】  上記のヘルメットカバーの鍔に、本発明による鍔の芯を使用する事で、ヘルメットの大きさの違いに関わらず、形状や状態の安定した鍔を付加させる事が可能となる。
【００１７】  例えば、乗馬用のヘルメットには伝統的に鍔が付いているものが有るが、競馬用のヘルメットや競輪用のヘルメット、オートレース用のヘルメットなど、使用時により強い風を受ける事を想定しているヘルメットには鍔が無いものが多いが、こうしたヘルメットに、本発明による鍔の芯を内蔵した鍔が付いた、使用時にも装着可能なヘルメットカバーを用いる事で、風の影響を受け難い鍔を、こうした鍔の無いヘルメットに付加させる事が容易となる。
【００１８】  使用時にも装着可能なヘルメットカバーについては、競馬用ヘルメットのカバー等に見られるように、既に従来の技術であるが、本発明の効果として上げられるのは、つまり、本発明による鍔の芯をヘルメットカバーに応用することで、雨天時の雨避けや、日差し避けといった機能を、鍔の無いヘルメットに対し、容易に付加する事が可能になる、という事である。
【００１９】  また、板部（１）に、開口部（８）を設ける事で、本発明による鍔の芯は、より柔軟性を高め、頭部（７）への密着性を高める事が出来る。（図７）（図８）
【００２０】  更に、板部（１）に設ける開口部（８）は、その面積が大きい程、強度と引き換えに柔軟性が高くなり、同時に頭部への密着性が高くなる。（図７）（図８）
【図面の簡単な説明】
【図１】  本発明品（請求項１）の正面図
【図２】  本発明品（請求項１）の上面図
【図３】  本発明品（請求項１）の側面図
【図４】  本発明品（請求項１）の俯瞰図
【図５】  本発明品（請求項１）が帽子の鍔に内蔵された様子を表した俯瞰図
【図６】  本発明品（請求項１）の中心線による断面図
【図７】  本発明品（請求項２）の正面図
【図８】  本発明品（請求項２）の側面図
【符号の説明】１  弾性材からなる板状部分（板部）
２  弾性材からなる棒状部分（棒部）
３  （１）と（２）の接合部
４  中心線
５  帽子の布の境界線
６  帽子の布の境界を表す透視線
７  頭部の相関的位置
８  開口部
【図１】
2011106079.tif 000003
【図２】
2011106079.tif 000004
【図３】
2011106079.tif 000005
【図４】
2011106079.tif 000006
【図５】
2011106079.tif 000007
【図６】
2011106079.tif 000008
【図７】
2011106079.tif 000009
【図８】
2011106079.tif 000010